(57)【要約】【課題】  鑑別対象物からの燐光のレベルを分離して検出することにより、鑑別対象物を正確に鑑別すること。【解決手段】  この鑑別装置１は、特定波長の励起光を紙幣Ａに向けて照射するＬＥＤ７と、励起光に応じて紙幣Ａから発せられる燐光を含む発光を検出し、燐光の強度に応じた電荷を画像信号に変換して出力する撮像素子８と、ＬＥＤ７による励起光の照射、撮像素子８による電荷の排出、及び撮像素子８による画像信号の出力を制御する制御回路１１と、画像信号に基づいて得られた紙幣Ａの検出状態を示す出力画像信号を出力するカラー液晶モニタ５とを備え、制御回路１１は、励起光を所定期間の間照射させた後に電荷を排出させ、所定期間後の燐光検出期間に蓄積された電荷に対応する画像信号を出力させるように制御する。【選択図】  図３
2007072713.tif 000002
【特許請求の範囲】
【請求項１】
鑑別対象物からの燐光を検出することによって前記鑑別対象物の鑑別を行う鑑別方法において、
光源から前記鑑別対象物に向けて特定波長成分の励起光を所定期間の間照射する励起光照射ステップと、
前記励起光の照射に応じて前記鑑別対象物から発せられる燐光を含む発光を受光回路で検出して、前記燐光の強度に応じた電荷を蓄積する電荷蓄積ステップと、
前記所定期間において前記受光回路に蓄積された電荷を、前記受光回路から排出する電荷排出ステップと、
前記所定期間後の燐光検出期間に前記受光回路に蓄積された電荷を電気信号に変換して出力する電荷変換ステップと、
前記電気信号に基づいて得られた前記鑑別対象物の検出情報を出力する出力ステップと、
を備えることを特徴とする鑑別方法。
【請求項２】
前記電荷変換ステップでは、連続する複数の前記燐光検出期間毎に前記電荷を前記電気信号に変換し、
前記出力ステップでは、前記複数の燐光検出期間毎に前記検出情報を出力する、
ことを特徴とする請求項１記載の鑑別方法。
【請求項３】
前記励起光照射ステップでは、前記励起光を時間的に分離された複数の前記所定期間において繰り返し照射し、
電荷変換ステップでは、それぞれの前記複数の所定期間後における前記燐光検出期間を変化させながら、前記電荷を前記電気信号に変換し、
前記出力ステップでは、前記燐光検出期間毎に前記検出情報を出力する、
ことを特徴とする請求項１記載の鑑別方法。
【請求項４】
鑑別対象物からの燐光を検出することによって前記鑑別対象物の鑑別を行う鑑別装置において、
特定波長の励起光を前記鑑別対象物に向けて照射する光源と、
前記励起光に応じて前記鑑別対象物から発せられる燐光を含む発光を検出し、前記燐光の強度に応じた電荷を電気信号に変換して出力する受光回路と、
前記光源による前記励起光の照射、前記受光回路による前記電荷の排出、及び前記受光回路による前記電荷に対応する前記電気信号の出力を制御する制御回路と、
前記電気信号に基づいて得られた前記鑑別対象物の検出情報を出力する出力部とを備え、
前記制御回路は、
前記励起光を所定期間の間照射させた後に前記電荷を排出させ、前記所定期間後の燐光検出期間に蓄積された電荷に対応する前記電気信号を出力させるように制御する、
ことを特徴とする鑑別装置。
【請求項５】
前記制御回路は、前記励起光を照射する前記所定期間、前記電荷の排出タイミング、及び前記電気信号の出力タイミングを変更可能に構成されている、
ことを特徴とする請求項４記載の鑑別装置。
【請求項６】
前記出力部は、複数の前記燐光検出期間毎に前記検出情報を出力する、
ことを特徴とする請求項４又は５に記載の鑑別装置。
【請求項７】
前記光源と前記鑑別対象物との間に設けられ、前記特定波長成分の光を遮断し、前記燐光を透過させるフィルタ部を更に備える、
ことを特徴とする請求項４〜６のいずれか一項に記載の鑑別装置。
【請求項８】
前記鑑別対象物は、前記励起光の照射に対して発生させる前記燐光の強度の時間特性の異なる複数の材料を含む、
ことを特徴とする請求項４〜７のいずれか一項に記載の鑑別装置。
【請求項９】
前記鑑別対象物は、前記励起光の照射に対して発生させる前記燐光の波長分布の異なる複数の材料を含み、
前記受光回路は、前記燐光の波長分布を検出可能に構成されている、
ことを特徴とする請求項４〜８のいずれか一項に記載の鑑別装置。
【発明の詳細な説明】
【技術分野】
【０００１】
本発明は、紙幣、有価証券などの紙葉類やＩＤカード、クレジットカードなどのカード類の鑑別対象物の鑑別を行う鑑別方法及び鑑別装置に関するものである。
【背景技術】
【０００２】
従来、このような分野の技術として、下記特許文献１に記載の鑑別装置がある。この公報に記載された鑑別装置は、紫外線ランプから鑑別対象物に紫外線を照射し、その結果生じた鑑別対象物上の蛍光塗料からの発光を、紫外線ランプに含まれる可視光波長成分を除去するフィルタを介してＣＣＤカメラで受光することにより、鑑別対象物上の蛍光材料によって形成された所定図柄を撮像する。このように、鑑別対象物からの蛍光及び燐光（蓄光）を同時に撮像することによって、鑑別対象物の真偽判断を可能とする。
【特許文献１】特開２００２−３２８１４号公報
【発明の開示】
【発明が解決しようとする課題】
【０００３】
しかしながら、上述した鑑別装置においては、紫外線ランプから照射された励起光のうち、鑑別対象物において反射された励起光やＣＣＤカメラ側に漏れた励起光を完全に遮断することができないため、鑑別対象物からの蛍光及び燐光のコントラストが低くなり、鑑別対象物の真偽を正確に判断することが困難であった。
【０００４】
そこで、本発明はかかる課題に鑑みて為されたものであり、鑑別対象物からの燐光のレベルを分離して検出することにより、鑑別対象物を正確に鑑別することが可能な鑑別方法及び鑑別装置を提供することを目的とする。
【課題を解決するための手段】
【０００５】
上記課題を解決するため、本発明の鑑別方法は、鑑別対象物からの燐光を検出することによって鑑別対象物の鑑別を行う鑑別方法において、光源から鑑別対象物に向けて特定波長成分の励起光を所定期間の間照射する励起光照射ステップと、励起光の照射に応じて鑑別対象物から発せられる燐光を含む発光を受光回路で検出して、燐光の強度に応じた電荷を蓄積する電荷蓄積ステップと、所定期間において受光回路に蓄積された電荷を、受光回路から排出する電荷排出ステップと、所定期間後の燐光検出期間に受光回路に蓄積された電荷を電気信号に変換して出力する電荷変換ステップと、電気信号に基づいて得られた鑑別対象物の検出情報を出力する出力ステップとを備えることを特徴とする。
【０００６】
或いは、本発明の鑑別装置は、鑑別対象物からの燐光を検出することによって鑑別対象物の鑑別を行う鑑別装置において、特定波長の励起光を鑑別対象物に向けて照射する光源と、励起光に応じて鑑別対象物から発せられる燐光を含む発光を検出し、燐光の強度に応じた電荷を電気信号に変換して出力する受光回路と、光源による励起光の照射、受光回路による電荷の排出、及び受光回路による電荷に対応する電気信号の出力を制御する制御回路と、電気信号に基づいて得られた鑑別対象物の検出情報を出力する出力部とを備え、制御回路は、励起光を所定期間の間照射させた後に電荷を排出させ、所定期間後の燐光検出期間に蓄積された電荷に対応する電気信号を出力させるように制御することを特徴とする。
【０００７】
このような鑑別方法及び鑑別装置によれば、鑑別対象物に励起光を照射することによって鑑別対象物から発せられた燐光が、受光回路によって検出されて、燐光の強度に対応した電荷が、電気信号に変換されて出力される。このとき、励起光を照射した期間に蓄積された電荷が受光回路から排出された後、燐光検出期間において蓄積された電荷に対応した電気信号が出力され、その電気信号に基づいて得られた検出情報が更に出力されるので、鑑別対象物から発生する燐光が、蛍光及び励起光と分離されてコントラストが高い状態で検出される。その結果、所定の燐光発光特性を有する検定対象物をより正確に鑑別することができる。
【０００８】
また、電荷変換ステップでは、連続する複数の燐光検出期間毎に電荷を電気信号に変換し、出力ステップでは、複数の燐光検出期間毎に検出情報を出力することが好ましい。こうすれば、鑑別対象物が複数種類の燐光材料を含む場合に、発光の持続時間の異なる燐光材料ごとにきめ細かい検出が実現される。
【０００９】
さらに、励起光照射ステップでは、励起光を時間的に分離された複数の所定期間において繰り返し照射し、電荷変換ステップでは、それぞれの複数の所定期間後における燐光検出期間を変化させながら、電荷を電気信号に変換し、出力ステップでは、燐光検出期間毎に検出情報を出力することも好ましい。この場合も、複数種類の燐光材料を含む鑑別対象物に対しても、発光の持続時間の異なる燐光材料ごとにきめ細かい検出が実現される。
【００１０】
また、制御回路は、励起光を照射する所定期間、電荷の排出タイミング、及び電気信号の出力タイミングを変更可能に構成されていることが好ましい。かかる制御回路を備えれば、鑑別対象物に含まれる燐光材料に対応させて励起光の照射時間、燐光の検出期間を調整することができるので、複数種類の鑑別対象物の鑑定が容易となる。
【００１１】
さらに、出力部は、複数の燐光検出期間毎に検出情報を出力することも好ましい。かかる構成を採れば、複数の燐光を検出して即座に鑑別対象物を鑑定することができる。
【００１２】
またさらに、光源と鑑別対象物との間に設けられ、特定波長成分の光を遮断し、燐光を透過させるフィルタ部を更に備えることも好ましい。このようなフィルタ部により、励起光の受光回路への入射が防止されるので、励起光の照射後の受光回路からの電荷の排出が円滑化されるとともに、鑑別対象物からの燐光をよりコントラストが高い状態で検出することができる。
【００１３】
さらにまた、鑑別対象物は、励起光の照射に対して発生させる燐光の強度の時間特性の異なる複数の材料を含むことも好ましい。この場合、複数種類の燐光材料から発せられ、発光の持続時間の異なる燐光をきめ細かく検出することができる。
【００１４】
また、鑑別対象物は、励起光の照射に対して発生させる燐光の波長特性の異なる複数の材料を含み、受光回路は、燐光の波長分布を検出可能に構成されていることも好ましい。こうすれば、複数種類の燐光材料から発せられた波長特性の異なる燐光を検出することによって、より高度な鑑定が実現できる。
【発明の効果】
【００１５】
本発明の鑑別方法及び鑑別装置によれば、鑑別対象物からの燐光のレベルを分離して検出することにより、鑑別対象物を正確に鑑別することができる。
【発明を実施するための最良の形態】
【００１６】
以下、図面を参照しつつ本発明に係る鑑別装置の好適な実施形態について詳細に説明する。
【００１７】
［第１実施形態］
図１に示す本発明の第１実施形態である鑑別装置１は、燐光（蓄光）材料を含む塗料を混入させた特殊インクで印刷した紙幣、有価証券、ＩＤカード、クレジットカード等の鑑別対象物の真偽を目視によって鑑別するための装置である。なお、本実施形態においては、鑑別対象物は紙幣Ａを代表例として説明する。紙幣Ａには、紫外線や可視光等の特定波長成分の励起光を受けて燐光を生じさせる特殊インクを含む燐光パターンが印刷されている。
【００１８】
図１及び図２に示すように、鑑別装置１は、遮光性及び防塵性を持った四角柱形状の筐体２を有し、この筐体２の下面には、矩形状の撮像用の窓部３が設けられ、窓部３には透明なガラス板が嵌め込まれている。また、筐体２の上面には、矩形のモニタ用の窓部４が設けられ、この窓部４によってカラー液晶モニタ（出力部）５の画面６を露出される。なお、このカラー液晶モニタ５は、装置１に携帯性をもたせるために筐体２に一体的に組み込まれる。
【００１９】
さらに、筐体２の内部においては、窓部３を通して紙幣Ａに向けて斜め上方から励起光を照射する複数のＬＥＤ（光源）７と、窓部３を通して紙幣Ａから発せられる光を検出することによって紙幣Ａの画像を撮像する素子であって、可視光領域及び紙幣Ａから発せられる燐光の波長領域に受光感度を有するＣＣＤやＣＭＯＳセンサ等の撮像素子（受光回路）８とが配置されている。このＬＥＤ７は、紫外線や可視光等の特定波長成分の励起光を照射する。なお、ＬＥＤ７に替えて、蛍光灯等の他の光源を用いても良い。また、撮像素子８と窓部３との間には、結像レンズ９が配置され、この結像レンズ９によって、紙幣Ａの図柄を至近距離から撮像することが可能となる。さらに、結像レンズ９と窓部３との間には、励起光の特定波長成分を遮断すると共に、可視光よりも長波長の燐光を透過させる光学フィルタ（フィルタ部）１０が配置されている。この光学フィルタ１０を設けることにより、ＬＥＤ７から撮像素子８の方向へ漏れてくる励起光、及び紙幣Ａで反射された励起光の撮像素子８への入射が防止される。
【００２０】
筐体２における撮像素子８の上方には、撮像素子８及びＬＥＤ７の動作を制御するとともに、撮像素子８から出力される画像信号（電気信号）を入力して出力用画像信号（検出信号）を生成する制御回路１１が配置されている。この制御回路１１で生成された出力用画像信号がカラー液晶モニタ５に出力されることにより、作業者に紙幣Ａの真偽を判断させるための鑑別用画像（詳細は、後述する。）を表示させることが可能となる。
【００２１】
図２における制御回路１１の機能ブロック図である図３に示すように、制御回路１１は、発光制御部１２、排出制御部１３、及び読出制御部１４を含む制御部１５と、画像信号変換部１６とを有している。この制御回路１１に接続された撮像素子８は、紙幣Ａを撮像する際に、紙幣Ａから入射する燐光を含む光の強度に対応する電荷を各画素ごとに蓄積した後、すべての画素に対応する電荷量を電圧信号に変換することによって、２次元の画像信号として制御回路１１の画像信号変換部１６に出力する。ここで、撮像素子８は、画像信号を輝度信号と色信号とが多重化されたカラー画像信号として出力する。
【００２２】
発光制御部１２は、ＬＥＤ７に発光制御信号を送出し、ＬＥＤ７から照射される励起光のオン−オフを制御する。この発光制御部１２の制御により、ＬＥＤ７の発光のタイミングをコントロールすることができる。
【００２３】
排出制御部１３は、撮像素子８に排出制御パルス信号を送出し、撮像素子８の各画素に蓄積された電荷を排出させる。撮像素子８に排出制御信号が送出されると、各画素にそれまで蓄積されていた電荷が排出されて、各画素の電荷蓄積動作がリセットされる。
【００２４】
読出制御部１４は、撮像素子８に読出制御パルス信号を送出し、撮像素子８の各画素に蓄積された電荷に対応する画像信号の出力を開始させる。この場合、撮像素子８から出力される画像信号は、上述した排出制御部１３による電荷の排出のタイミングから、読出制御パルス信号の発生のタイミングまでの間に蓄積された電荷に対応する画像信号となる。
【００２５】
画像信号変換部１６は、読出制御部１４の制御により撮像素子８から出力された画像信号を、カラー液晶モニタ５において表示可能な信号形式の出力画像信号（紙幣Ａの検出信号）に変換する。また、画像信号変換部１６は、撮像素子８から同一の紙幣Ａを対象にして連続して画像信号が出力された場合に、複数の画像信号を合成することによって、それらの画像信号によって表される画像を並列的に表示させるための出力画像信号に変換する。
【００２６】
上記の発光制御部１２、排出制御部１３、及び読出制御部１４は、それぞれ、励起光を照射する期間、電荷の排出タイミング、及び画像信号の出力タイミングを変更可能なように構成されている。具体的には、制御部１５においては、ＥＥＰＲＯＭ、ＲＡＭ等のメモリ内に、発光制御信号、排出制御パルス信号、読出制御パルス信号の出力タイミングを決定するパラメータが保持され、このパラメータを書き換えることにより各制御信号の出力期間が変更可能とされている。
【００２７】
次に、鑑別装置１を用いた紙幣Ａの鑑別方法について、図４を参照しつつ説明する。図４において、（ａ）は、ＬＥＤ７の点灯状態の時間変化、（ｂ）は、紙幣Ａの励起光の受光状態の時間変化、（ｃ）は、撮像素子８に入射する燐光強度の時間変化、（ｄ）は、排出制御パルス信号の時間変化、（ｅ）は、読出制御パルス信号の時間変化、（ｆ）は、撮像素子８から出力される画像信号の時間変化を示すタイムチャートである。
【００２８】
まず、鑑別装置１により紙幣Ａの鑑別を行うときは、作業台１７（図１）に紙幣Ａを置いた状態で、筐体２を作業台１７上に紙幣Ａに被せるように載せる。これによって、筐体２の画面６が作業者側に向けられることになる。その後、鑑別装置１を作動させるためにメインスイッチ１８を押下する。
【００２９】
メインスイッチ１８の押下後、発光制御部１２の制御により、所定の時間幅Ｔ１を有し、かつ、一定周期で繰り返される時間的に分離された複数の照射期間において、ＬＥＤ７から励起光が繰り返し照射され（図４（ａ））、その期間において紙幣Ａに励起光が照射される（図４（ｂ））。励起光の照射直後に紙幣Ａから燐光が発生し、その燐光の強度は励起光の消灯後において時間とともに徐々に低下する（図４（ｃ））。
【００３０】
一方、上記のそれぞれの照射期間を含む排出期間において排出制御パルス信号が発生することにより（図４（ｄ））、照射期間において撮像素子８に蓄積された電荷が排出される。ここで、それぞれの排出期間は、照射期間が時間Ｔ２１，Ｔ２２，Ｔ２３（Ｔ２１＜Ｔ２２＜Ｔ２３）だけ延長された期間に設定されている。この排出期間においては、撮像素子８に光が入射しても電荷の蓄積動作は行われない。
【００３１】
さらに、それぞれの励起光の照射期間の直前において読出制御パルス信号が発生し（図４（ｅ））、撮像素子８に蓄積された電荷に応じた画像信号が繰り返し出力される（図４（ｆ））。ここで得られる画像信号は、排出期間の終了後から読出制御パルス発生までの燐光検出期間において撮像素子８によって撮像された像に対応する。それぞれの燐光検出期間は、図示するように、照射期間の直前において時間Ｔ３１，Ｔ３２，Ｔ３３（Ｔ３３＜Ｔ３２＜Ｔ３１）の時間幅を有し、それぞれの時間幅が同じ励起光の照射時間に対して変化するように設定されている。撮像素子８から連続して出力された複数の画像信号は、制御回路１１の画像信号変換部１６によって出力画像信号に合成され、同時にカラー液晶モニタ５に出力される。
【００３２】
図５（ａ）に示すような異なる燐光材料を含むインクで印刷された２つの燐光パターンＰ１，Ｐ２を有する紙幣Ａを鑑別する場合を考える。燐光パターンＰ１は、燐光パターンＰ２よりも、励起光の照射に対して発生する燐光の持続時間が長くなるような時間特性を有している。このような紙幣Ａを鑑別装置１で撮像した場合は、図５（ｂ）に示すように、より長い燐光検出期間に対する紙幣Ａの画像Ｇ１と、より短い燐光検出期間に対する紙幣Ａの画像Ｇ２が画面６上に２分割されて出力され、画像Ｇ１においては燐光パターンＰ１，Ｐ２に対応する像が検出される一方、画像Ｇ２においては燐光パターンＰ１に対応する像のみが検出される。これにより、紙幣Ａに複数の時間特性を有する燐光パターンを有する場合に、燐光パターン毎のきめ細かい鑑定を可能とする。
【００３３】
このような鑑別装置１及び鑑別装置１を用いた鑑別方法によれば、励起光を照射した照射期間に蓄積された電荷が撮像素子８から排出された後、照射期間後の燐光検出期間において蓄積された電荷に対応した画像信号が撮像素子８から出力されて、その画像信号がカラー液晶モニタ５に表示可能なデータ形式に変換されて出力される。これにより、紙幣Ａから発生する燐光が、主に励起光の照射期間において生じる蛍光及び励起光と分離されてコントラストが高い状態で検出され、所定の燐光パターンを有する紙幣Ａをより正確に、かつ、視覚的に鑑別することができる。
【００３４】
また、制御回路１１は、励起光を照射する照射期間、撮像素子８における電荷の排出タイミング、及び撮像素子８からの画像信号の出力タイミングを変更可能に構成されているので、紙幣Ａに含まれる燐光材料に対応させて励起光の照射時間、燐光の検出期間を調整することができ、複数種類の鑑別対象物の鑑定が容易となる。
【００３５】
さらに、カラー液晶モニタ５には、複数の燐光検出期間毎に紙幣Ａの画像が同時に出力されるので、紙幣Ａにおける複数種類の燐光パターンを即座に検出して鑑別対象物の真偽を鑑別することができる。
【００３６】
また、光源と鑑別対象物との間に設けられた光学フィルタ１０により、励起光の撮像素子８への入射が防止されるので、必要以上に撮像素子８に電荷が蓄積されることがなく、励起光の照射後の撮像素子８からの電荷の排出が円滑化されるとともに、紙幣Ａからの燐光をよりコントラストが高い状態で検出することができる。
【００３７】
［第２実施形態］
次に、本発明の第２実施形態について、第１実施形態との相違点を中心に説明する。
【００３８】
図６に示す本発明の第２実施形態である鑑別装置２１においては、窓部３を通して紙幣Ａから発せられる燐光を含む発光を検出する素子であって、可視光領域及び燐光の波長領域に受光感度を有するフォトダイオード等の受光素子（受光回路）２８が配置され、受光素子２８と窓部３との間には、光学フィルタ（フィルタ部）１０が配置されている。さらに、受光素子２８の上方には、受光素子２８及びＬＥＤ７の動作を制御するとともに、受光素子２８から出力される電流信号（電気信号）を入力して出力用画像信号（検出信号）を生成する制御回路３１が配置されている。
【００３９】
制御回路３１は、図７に示すように、発光制御部１２、排出制御部３３、及び読出制御部３４を含む制御部３５と、信号変換部３６と、ＡＤコンバータ３７と、データ処理部３８とを有している。この制御回路３１に接続された受光素子２８は、紙幣Ａから発生する燐光を含む発光の強度に対応する電荷を蓄積した後、その電荷を電流信号として制御回路１１の信号変換部３６に出力する。
【００４０】
信号変換部３６は、受光素子２８から出力された電流信号から検出される電荷量をその電荷量に対応した電圧信号に変換する。つまり、この電圧信号は、受光素子２８において蓄積された電荷の量に対応するレベルを有する。
【００４１】
排出制御部３３は、信号変換部３６に排出制御パルス信号を送出し、受光素子２８から出力される電流信号、すなわち、受光素子２８に蓄積された電荷を、電圧信号に変換することなく排出させる。言い換えれば、排出制御パルス信号が解除されたタイミングで、受光素子２８から出力される電荷の蓄積動作が開始される。
【００４２】
読出制御部３４は、信号変換部３６に読出制御パルス信号を送出し、受光素子２８から出力された電流信号から積算される電荷量を電圧信号に変換するように制御する。この場合、信号変換部３６から出力される電圧信号は、排出制御部３３によって制御される電荷の排出のタイミングから、読出制御パルス信号の発生のタイミングまでの間に受光素子２８から出力された電荷量に対応する信号となる。
【００４３】
ＡＤコンバータ３７は、信号変換部３６から出力された電圧信号のレベルをデジタル値に変換してデータ処理部３８に出力し、データ処理部３８は、信号変換部３６から入力されたデジタル値に基づいて、紙幣Ａからの受光レベルをグラフ等により視覚的に表示するための出力画像信号（紙幣Ａの検出信号）を生成してカラー液晶モニタ５に出力する。また、データ処理部３８は、信号変換部３６から同一の紙幣Ａを対象にして連続して電圧信号が出力された場合に、複数の電圧信号のレベルを並列的に表示させるための出力画像信号を生成する。
【００４４】
次に、鑑別装置２１を用いた紙幣Ａの鑑別方法について、図８を参照しつつ説明する。
【００４５】
発光制御部１２の制御により、所定の時間幅Ｔ４を有する照射期間において、ＬＥＤ７から励起光が照射され（図８（ａ））、その期間において紙幣Ａに励起光が照射される（図８（ｂ））。励起光の照射直後に紙幣Ａから燐光が発生し、その燐光の強度は励起光の消灯後において時間とともに徐々に低下する（図８（ｃ））。
【００４６】
一方、上記照射期間直後に、排出制御部３３から信号変換部３６に排出制御パルス信号が送出され（図８（ｄ））、それまでの間に受光素子２８から信号変換部３６に出力されていた電荷が排出される。この排出制御パルス信号の発生直後において、信号変換部３６における電荷の蓄積動作が再開される。
【００４７】
さらに、上記の排出制御パルスの発生後に時間Ｔ５間隔で読出制御パルス信号が発生し（図８（ｅ））、受光素子２８から出力された電荷に応じた電圧信号が、読出制御パルス信号の発生に同期して繰り返し信号変換部３６から出力される（図８（ｆ））。ここで得られる電圧信号は、励起光の照射期間の終了後において時間幅Ｔ５を有する連続する燐光検出期間において、受光素子２８に入射する光の入射量にほぼ比例する。撮像素子８から連続して出力された複数の電圧信号は、ＡＤコンバータ３７を経由してデータ処理部３８に入力され、それぞれの電圧信号のレベルを並列的に示す出力画像信号が生成されてカラー液晶モニタ５に出力される。
【００４８】
このような鑑別装置２１を用いて図９（ａ）に示すような紙幣Ａを鑑別する場合は、図９（ｂ）に示すように、最初の燐光検出期間における電圧信号のレベルをグラフ等で視覚的に図示する画像Ｇ３と、２番目の燐光検出期間に対応するグラフを図示する画像Ｇ４と、３番目の燐光検出期間に対応するグラフを図示する画像Ｇ５とが、画面６上に３分割されて出力される。これらの画像Ｇ３，Ｇ４，Ｇ５は、それぞれの燐光検出期間において受光素子で受光された光の受光量を示す。これにより、紙幣Ａに複数の時間特性を有する燐光パターンを有する場合に、発光の持続時間の異なる燐光材料ごとに検出が為され、紙幣Ａのきめ細かい鑑別を可能とする。
【００４９】
上述した鑑別装置２１及び鑑別装置２１を用いた鑑別方法によっても、紙幣Ａから発生する燐光が、主に励起光の照射期間において生じる蛍光及び励起光と分離されてコントラストが高い状態で検出され、所定の燐光パターンを有する紙幣Ａをより正確に、かつ、視覚的に鑑別することができる。
【００５０】
なお、本発明は、前述した実施形態に限定されるものではない。例えば、鑑別装置２１の受光素子としては、複数の波長感度特性を有する受光面を有する、燐光の波長分布毎に光強度を検出可能なカラーセンサ等の素子を用いても良く、鑑別対象の紙幣として、発生する燐光の波長分布の異なる燐光材料を含む複数の燐光パターンを有するものを用いても良い。この場合は、異なる波長分布を有する燐光パターンからの燐光のレベル及び波長分布を、並列的にカラー液晶モニタ５に表示させることによって、よりセキュリティの高い高度な鑑別が実現できる。
【００５１】
また、励起光の照射期間、撮像素子８及び受光素子２８における排出期間、及び燐光検出期間としては、様々な変形が可能である。例えば、図１０（ａ）〜（ｆ）に示すように、鑑別装置１における励起光の照射期間の時間幅を変化させて、励起光の照射時間の異なる照射期間に対する燐光を検出してもよい。また、図１１（ａ）〜（ｆ）に示すように、鑑別装置２１における電荷の排出期間は、紙幣Ａの検出開始後から最初の照射期間の終期まで継続するように設定しても良いし、図１２（ａ）〜（ｆ）に示すように、励起光の照射期間の終期と排出制御パルス信号との時間差を変更することによって、燐光検出期間の時間幅を調整してもよい。
【図面の簡単な説明】
【００５２】
【図１】本発明の第１実施形態である鑑別装置を示す斜視図である。
【図２】図１に示した鑑別装置の正面図である。
【図３】図２に示す制御回路１１の機能ブロック図である。
【図４】図２の鑑別装置で処理される各種信号の時間変化を示す図であり、（ａ）は、図２のＬＥＤの点灯状態、（ｂ）は、紙幣の励起光の受光状態、（ｃ）は、入射する燐光強度、（ｄ）は、排出制御パルス信号、（ｅ）は、読出制御パルス信号、（ｆ）は、画像信号のタイムチャートである。
【図５】（ａ）は、紙幣に印刷された燐光パターンを示す図、（ｂ）は、図２のカラー液晶モニタの出力例を示す図である。
【図６】本発明の第２実施形態である鑑別装置を示す正面図である。
【図７】図６に示す制御回路３１の機能ブロック図である。
【図８】図６の鑑別装置で処理される各種信号の時間変化を示す図であり、（ａ）は、図６のＬＥＤの点灯状態、（ｂ）は、紙幣の励起光の受光状態、（ｃ）は、入射する燐光強度、（ｄ）は、排出制御パルス信号、（ｅ）は、読出制御パルス信号、（ｆ）は、図７の信号変換部から出力される電圧信号のタイムチャートである。
【図９】（ａ）は、紙幣に印刷された燐光パターンを示す図、（ｂ）は、図６のカラー液晶モニタの出力例を示す図である。
【図１０】本発明の変形例である鑑別装置で処理される各種信号の時間変化を示す図であり、（ａ）は、ＬＥＤの点灯状態、（ｂ）は、紙幣の励起光の受光状態、（ｃ）は、入射する燐光強度、（ｄ）は、排出制御パルス信号、（ｅ）は、読出制御パルス信号、（ｆ）は、画像信号のタイムチャートである。
【図１１】本発明の変形例である鑑別装置で処理される各種信号の時間変化を示す図であり、（ａ）は、ＬＥＤの点灯状態、（ｂ）は、紙幣の励起光の受光状態、（ｃ）は、入射する燐光強度、（ｄ）は、排出制御パルス信号、（ｅ）は、読出制御パルス信号、（ｆ）は、信号変換部から出力される電圧信号のタイムチャートである。
【図１２】本発明の変形例である鑑別装置で処理される各種信号の時間変化を示す図であり、（ａ）は、ＬＥＤの点灯状態、（ｂ）は、紙幣の励起光の受光状態、（ｃ）は、入射する燐光強度、（ｄ）は、排出制御パルス信号、（ｅ）は、読出制御パルス信号、（ｆ）は、信号変換部から出力される電圧信号のタイムチャートである。
【符号の説明】
【００５３】
１，２１…鑑別装置、５…カラー液晶モニタ（出力部）、８…撮像素子（受光回路）、１０…光学フィルタ（フィルタ部）、１１，３１…制御回路、２８…受光素子（受光回路）、Ａ…紙幣（鑑別対象物）。
【図１】
2007072713.tif 000003
【図２】
2007072713.tif 000004
【図３】
2007072713.tif 000005
【図４】
2007072713.tif 000006
【図５】
2007072713.tif 000007
【図６】
2007072713.tif 000008
【図７】
2007072713.tif 000009
【図８】
2007072713.tif 000010
【図９】
2007072713.tif 000011
【図１０】
2007072713.tif 000012
【図１１】
2007072713.tif 000013
【図１２】
2007072713.tif 000014